(57)【要約】【課題】  仕分け作業場における容器からの配達物の取り出し及び仕分け棚への投入の省力化と仕分け作業場の省スペース化を図ることのできる配達物の仕分け運搬車を提供する。【解決手段】  上方が開放された走行自在の躯体２の上部に配達物の仕分け作業をするための作業板６を高さ調整自在且つ上方背面側へ開放可能に枢設し、同作業板６の下方に配達物を収容する容器を載置するための中間板１１を設け、躯体２の上部に開放された作業板６を所定角度で保持する作業板受枠９を設けた。【選択図】図１
2006069415.tif 000002
【特許請求の範囲】
【請求項１】
配達物の集配所で小口の配達物を配送先毎に仕分けて運搬する仕分け運搬車であって、上方及び正前側が開放された走行自在の躯体の上部に配達物の仕分け作業をするための作業板を高さ調整自在且つ上方背面側へ開放可能に枢設し、同作業板の下方に配達物を収容する容器を載置するための中間板を設け、躯体の上部に開放した作業板を所定角度で保持する作業板受枠を設けたことを特徴とする配達物の仕分け運搬車。
【請求項２】
躯体が異なる径のパイプフレームを上下に連設して構成したものであって、上下のパイプフレーム同士をスプリングを介して伸縮自在に挿入し、同スプリングの付勢力で伸縮させたパイプフレームを所定長さで保持する保持手段を設け、パイプフレームの伸縮で作業板を所定高さに調整できるようにした請求項１記載の配達物の仕分け運搬車。
【請求項３】
躯体の側部に補助板を作業板と面一に展開可能に枢設した請求項１又は２記載の配達物の仕分け運搬車。
【請求項４】
中間板の下方に容器を水平又は傾斜状態で載置できるフレームを設けた請求項１〜３いずれか記載の配達物の仕分け運搬車。
【請求項５】
作業板の上面に配達物の落下を防止する細長の落下防止部材を縁辺に沿って設けた請求項１〜４いずれか記載の配達物の仕分け運搬車。
【請求項６】
躯体の側部に誤仕分けの配達物を収容する小容器を設けた請求項１〜５いずれか記載の配達物の仕分け運搬車。
【請求項７】
作業板受枠が配達物の仕分け先を表記したプレートを立て掛ける立掛台を兼用したものである請求項１〜６いずれか記載の配達物の仕分け運搬車。
【発明の詳細な説明】
【技術分野】
【０００１】
本発明は、集配所内において、回収した郵便物等の小口の配達物をそれぞれの配送先へ仕分けて各仕分け作業場や配達車との間を運搬する配達物の仕分け運搬車に関する。
【背景技術】
【０００２】
従来、例えば郵便局等の集配所内において、回収した配達物はファイバーと呼ばれる網かご状の容器に投入し、一般的な台車等を利用して各仕分け先に多数に区画された仕分け棚へ運搬し、仕分け棚の近傍に有する作業机上に容器内の配達物を一旦取り出して机上で仕分けしながら仕分け先毎の棚又は棚内の容器へ投入していき、棚又は容器内の配達物が一定量に達すると台車に移し替えて配達車へ運搬するようにしている。
【０００３】
ところで、前記仕分け棚において、作業者は椅子に座って机上で仕分け作業するのが一般的であるが、容器と机上間の配達物の受け渡しは距離と高低差が大きく、配達物が多いほど作業が煩雑であった。また、仕分け中に仕分け棚が遠距離にある場合は作業者が椅子から起立して持ち運ぶから効率が悪く時間を要するものであった。さらに、仕分け棚の数が多いほど作業机も大きなものが必要で場所を取る問題もあった。
【特許文献１】実用新案登録第２５６９６７５号公報
【発明の開示】
【発明が解決しようとする課題】
【０００４】
本発明が解決しようとする課題は、従来のこれらの問題点を解消し、配達物を運搬する運搬車に仕分け作業ができる作業板を備えることで、仕分け作業場における容器からの配達物の取り出し及び投入の省力化と仕分け作業場の省スペース化を図ることのできる配達物の仕分け運搬車を提供することにある。
【課題を解決するための手段】
【０００５】
かかる課題を解決した本発明の構成は、
１）  配達物の集配所で小口の配達物を配送先毎に仕分けて運搬する仕分け運搬車であって、上方及び正前側が開放された走行自在の躯体の上部に配達物の仕分け作業をするための作業板を高さ調整自在且つ上方背面側へ開放可能に枢設し、同作業板の下方に配達物を収容する容器を載置するための中間板を設け、躯体の上部に開放した作業板を所定角度で保持する作業板受枠を設けたことを特徴とする配達物の仕分け運搬車
２）  躯体が異なる径のパイプフレームを上下に連設して構成したものであって、上下のパイプフレーム同士をスプリングを介して伸縮自在に挿入し、同スプリングの付勢力で伸縮させたパイプフレームを所定長さで保持する保持手段を設け、パイプフレームの伸縮で作業板を所定高さに調整できるようにした前記１）記載の配達物の仕分け運搬車
３）  躯体の側部に補助板を作業板と面一に展開可能に枢設した前記１）又は２）記載の配達物の仕分け運搬車
４）  中間板の下方に容器を水平又は傾斜状態で載置できるフレームを設けた前記１）〜３）いずれか記載の配達物の仕分け運搬車
５）  作業板の上面に配達物の落下を防止する細長の落下防止部材を縁辺に沿って設けた前記１）〜４）いずれか記載の配達物の仕分け運搬車
６）  躯体の側部に誤仕分けの配達物を収容する小容器を設けた前記１）〜５）いずれか記載の配達物の仕分け運搬車
７）  作業板受枠が配達物の仕分け先を表記したプレートを立て掛ける立掛台を兼用したものである前記１）〜６）いずれか記載の配達物の仕分け運搬車
にある。
【発明の効果】
【０００６】
本発明によれば、運搬車に仕分け机である作業板を備えているから、仕分け作業場の仕分け机を省略して省スペース化を図ることができる。また、容器内の配達物は直上の作業板に取り出して仕分けするから、取り出しに伴う距離及び高低差が小さくて作業を効率的に行なえる。また、仕分け棚が遠距離にあっても運搬車で移動して棚へ投入するから、短時間で行なえて効率が良い。また、作業者は運搬車前で起立した状態で行なうから、座って作業する場合と比較して行動範囲が広くなり効率的である。
【発明を実施するための最良の形態】
【０００７】
本発明の躯体は作業板の高さを変更できる構造のものが、作業者の身長差に合わせて使い易くできて好ましい。躯体のパイプフレームの伸縮は、スプリング，バネ，弾性ゴムなど上下方向に付勢力を作用できる手段が用いられる。躯体の側部には補助板を作業板と面一に展開可能に枢設しておくと、作業場所を広くでき、運搬中は収納してコンパクトにできる。中間板の下方に設けられる容器を載置するためのフレームは水平状態と傾斜状態を選択して載置できるように２本のフレームを所定間隔おいて設けるのが望ましい。作業板の上面には配達物の落下を防止する細長の落下防止部材を縁辺に沿って設けるのが望ましい。この落下防止部材は配達物の揃えにも応用できる。また、落下防止部材の断面を凹型にしてその溝にファイル類を立て掛けられるようにしてもよい。躯体の側部には小容器を設けると、誤仕分けの配達物を再仕分けまで区別して保管しておくことができる。以下、本発明の実施例を図面に基づいて具体的に説明する。
【実施例１】
【０００８】
図１は実施例の仕分け運搬車の正面側から見た斜視図、図２は実施例の仕分け運搬車の背面側から見た斜視図、図３は実施例の仕分け運搬車の作業板の開放を示す説明図、図４は実施例の仕分け運搬車の補助板の展開を示す説明図、図５は実施例の仕分け運搬車の上側の躯体の昇降を示す説明図、図６は実施例の仕分け運搬車に容器を載置した状態を示す説明図である。
【０００９】
本実施例の仕分け運搬車１は、図１〜３に示すようにキャスター３を備えたパイプフレームからなる躯体２の上部に正面側が開放されたコ字状の支持枠４を取り付け、支持枠４の背面側に蝶番５を介して作業板６を上方背面側へ開放可能に枢設し、支持枠４の側辺に蝶番５を介して補助板７を作業板６と面一に展開可能に枢設している。
【００１０】
作業板６と補助板７の上面辺部にはファイル類を立て掛けられるように断面凹型に形成した細長の落下防止部材８を取り付け、支持枠４の背面側にプレートの立掛台を兼用した作業板受枠９を取り付け、支持枠４の補助板７と反対側の側辺に誤仕分けの配達物の一時保管用の小容器１０を２体取り付け、躯体２の作業板６下方に中間板１１を受枠２ａで脱着自在に載置し、中間板１１の下方に２本のフレーム２ｂを所定間隔おいて取り付けている。
【００１１】
作業板６の補助板７側と補助板７の作業板６側の框部には図４（ａ）に示すように貫通孔６ａ，７ａを形成し、コ字状の操作具７ｂを貫通孔７ａに挿通し、図４（ｂ）に示すように補助板７を持ち上げて作業板６と面一にした後、操作具７ｂを作業板６側へスライドさせ、操作具７ｂの先端を作業板６の貫通孔６ａに挿通することで補助板７を水平に保持できるようにしている。
【００１２】
躯体２は図５（ａ）に示すように径の異なる上下のパイプフレーム２ｃ，２ｄをスプリング２ｆを介して挿入し、パイプフレーム２ｄの上端に外周が螺刻されたソケット２ｅを固着し、内周が螺刻され且つ内壁が斜めに形成されたキャップ２ｇをパイプフレーム２ｃを通じてソケット２ｅと蝶合し、図５（ｂ）に示すようにキャップ２ｇを回転させるとその内壁がソケット２ｅの先端部を押圧してパイプフレーム２ｃを締め付け、作業板６の高さを自在に調整できるようにしている。
【００１３】
本実施例１では、仕分け運搬車１の中間板１１に容器を載置し、落下防止部材８の溝部又は作業板受枠９に仕分け先が表記されたプレート（図示せず）を立て掛け、回収した多数の配達物を容器に投入して仕分け作業場へ運搬される。仕分け作業場では作業者が配達物を容器から所要量取り出して一通ずつ宛先を確認して仕分け先毎に小分けし、小分けした配達物は仕分け棚に収容する。
【００１４】
仕分け棚内の配達物が一定量に達すると配達先毎に用意した別の容器に収容後中間板１１に載置して仕分け運搬車１で配達車へ運搬し、作業板６を開放後各容器を取り出して配達車（図示せず）に移載する。容器Ｔを中間板１１下方のフレーム２ｂに載置する場合は、運搬時は図６（ａ）に示すように２本のフレーム２ｂ上に水平に載置し、投入又は取出時は図６（ｂ）に示すようにフレーム２ｂ間に容器Ｔの底角部を配置して傾斜した状態で載置すると使い易い。
【００１５】
本実施例はこのように構成したから、運搬車に仕分けするための作業板を備えているから、仕分け作業場の作業机を省略して省スペース化を図ることができた。また、容器内の配達物は直上の作業板に取り出して仕分けするから、取り出しに伴う距離及び高低差が小さくて作業を効率的に行えた。また、仕分け棚が遠距離にあっても運搬車で移動して棚へ投入するから、短時間で行なえて効率が向上した。また、作業者は運搬車前で起立した状態で行なうか、座って作業する場合と比較して行動範囲が広くなり効率的であった。
【産業上の利用可能性】
【００１６】
本発明の配達物の仕分け運搬車は、配達物の集配所におけるハガキや書状，封書等の小口の配達物の仕分け及び運搬に用いられる。
【図面の簡単な説明】
【００１７】
【図１】実施例の仕分け運搬車の正面側から見た斜視図である。
【図２】実施例の仕分け運搬車の背面側から見た斜視図である。
【図３】実施例の仕分け運搬車の作業板の開放を示す説明図である。
【図４】実施例の仕分け運搬車の補助板の展開を示す説明図である。
【図５】実施例の仕分け運搬車の上側の躯体の昇降を示す説明図である。
【図６】実施例の仕分け運搬車に容器を載置した状態を示す説明図である。
【符号の説明】
【００１８】
１  仕分け運搬車
２  躯体
２ａ  受枠
２ｂ  フレーム
２ｃ，２ｄ  パイプフレーム
２ｅ  ソケット
２ｆ  スプリング
２ｇ  キャップ
３  キャスター
４  支持枠
５  蝶番
６  作業板
６ａ  貫通孔
７  補助板
７ａ  貫通孔
７ｂ  操作具
８  落下防止部材
９  作業板受枠
１０  小容器
１１  中間板
Ｔ  容器
【図１】
2006069415.tif 000003
【図２】
2006069415.tif 000004
【図３】
2006069415.tif 000005
【図４】
2006069415.tif 000006
【図５】
2006069415.tif 000007
【図６】
2006069415.tif 000008